(57)【要約】【課題】  遊技者の手にかかる負担を軽くし、遊技中の疲労を軽減させる。【解決手段】  操作ハンドル９は、軸部２０、回動部２１、把手部２２から構成される。回動部２１は、軸部２０が回動中心となるように軸部２０に回動自在に組み付けられる。把手部２２は、回動部２１の前方にて軸部２０に固着される。また、把手部２２には、把手部２２の後方上部から前方下部に向けて突出し、且つ滑らかに傾斜した手載せ部２２ａが一体に形成されている。この手載せ部２２ａは手首が違和感なくフィットされるような曲面形状に形成されており、これにより遊技者は手載せ部２２ａに手首を載せて指先だけで回動部２１の回動操作を行うことが可能となる。【選択図】        図１６
2005058500.tif 000002
【特許請求の範囲】
【請求項１】
遊技領域を有する遊技盤と、この遊技盤に対して遊技球を発射する遊技球発射装置と、この遊技球発射装置を作動させるために操作する発射操作部材とを有する弾球遊技機において、
前記発射操作部材に、遊技者の手首近傍を載せながら発射操作部材の操作を行うことを可能にする手載せ部を設けたことを特徴とする弾球遊技機。
【請求項２】
前記発射操作部材を、軸部と、この軸部を回動中心として回動し、その回動具合に応じて遊技球発射装置の発射力を可変する回動部と、この回動部の前記軸部からの抜けを防止し、且つ遊技用把手として機能する把手部とから構成し、前記手載せ部を、前記把手部または前記軸部に設けたことを特徴とする請求項１記載の弾球遊技機。
【請求項３】
前記手載せ部を着脱可能に設けたことを特徴とする請求項１または２記載の弾球遊技機。
【発明の詳細な説明】
【技術分野】
【０００１】
本発明は、パチンコ店等の遊技場に設置して使用される弾球遊技機に関するものである。
【背景技術】
【０００２】
現在、パチンコ店等の遊技場に設置して使用されるパチンコ機の多くは、遊技者が一方の手（例えば右手）で操作ハンドルを所定量回転操作することにより、発射装置が作動され、遊技領域へ遊技球が打ち出されるようになっている。
【発明の開示】
【発明が解決しようとする課題】
【０００３】
しかしながら、従来のパチンコ機では、遊技者が手の重さを自力で支えながら操作ハンドルを操作するため、長時間に亘って遊技を行った場合、遊技者の手首や腕等が疲労するという問題があった。
【０００４】
本発明は、上記問題を考慮してなされたもので、遊技者の手にかかる負担を軽くし、遊技中の疲労を軽減させることができるようにした弾球遊技機を提供することを目的とする。
【課題を解決するための手段】
【０００５】
上記目的を達成するために、本発明の弾球遊技機は、遊技領域を有する遊技盤と、この遊技盤に対して遊技球を発射する遊技球発射装置と、この遊技球発射装置を作動させるために操作する発射操作部材とを有するものであり、発射操作部材に、遊技者の手首近傍を載せながら発射操作部材の操作を行うことを可能にする手載せ部を設けたことを特徴とするものである。これにより、遊技中、遊技者は手首を手載せ部に載せることにより、手や腕にかかる負担を軽減することができる。
【０００６】
また、発射操作部材を、軸部と、この軸部を回動中心として回動し、その回動具合に応じて遊技球発射装置の発射力を可変する回動部と、この回動部の前記軸部からの抜けを防止し、且つ遊技用把手として機能する把手部とから構成し、手載せ部を、把手部または軸部に設けることが好ましい。また、手載せ部を軸部に設ける場合には、手載せ部は軸部の下部から前方にかけて突出するように設けられると好適である。このように発射操作部材を構成する部品に手載せ部を設けることで、発射操作部材と手載せ部との設置を同時に行うことができ、さらに、手載せ部を適切な位置に配置することができる。そのため、発射操作部材とは別に手載せ部を設ける必要がなくなり、部品点数の削減が図れるとともに、手載せ部を設置する際の位置決めや組み付けなどの手間が省けるため作業性を向上することができる。
【０００７】
また、手載せ部を着脱可能に設けることが好ましい。これにより弾球遊技機や発射操作部材を輸送する場合、弾球遊技機や発射操作部材とは別個にして手載せ部を梱包して輸送することができ、梱包のサイズを小型化できる。加えて、輸送時に起こる虞のある外的衝撃による破損を未然に防止することもできる。
【発明の効果】
【０００８】
本発明の弾球遊技機によれば、発射操作部材に、遊技者の手の少なくとも一部、または手首近傍を載せながら発射操作部材の操作を行うことを可能にする手載せ部を設けたので、手にかかる負担を軽減することができ、長時間の遊技でも疲れないようにすることができる。
【０００９】
また、手載せ部を、把手部または軸部に設けたので、発射操作部材を所定箇所に設置することにより手載せ部も同時に設置することができ、取り付け作業の効率を向上させるとともに、部品点数の削減を図ることが可能となる。
【発明を実施するための最良の形態】
【００１０】
以下、本発明の第１の実施形態を図面に基づいて説明する。図１に弾球遊技機であるパチンコ機の外観を示す。パチンコ機２の本体枠３の内部には遊技盤４が配設されており、遊技盤４上にはガイドレール５に囲まれた遊技領域４ａが形成されている。遊技盤４の前面には前面扉６が設けられている。前面扉６は上扉６ａと下扉６ｂとから構成されており、上扉６ａと下扉６ｂとはヒンジにより本体枠３に開閉自在に取り付けられている。下扉６ｂには、打球供給用の供給皿７及び、下扉６ｂの後方に備えられた遊技球を発射する遊技球発射装置８（図１１参照）を作動させるために操作する操作ハンドル９（発射操作部材）が設けられている。遊技者は供給皿７に遊技球を投入し、操作ハンドル９を操作して、遊技盤４上の遊技領域４ａに対して遊技球を打ち出す。遊技球を打ち出す強さは操作ハンドル９の操作によって調節される。
【００１１】
遊技盤４上に形成された遊技領域４ａの中央には、図柄表示装置１０が設けられ、その他に、始動入賞口１１、通常入賞口１２、アタッカ１３、アウト口１４が設けられている。なお、遊技領域４ａ内を流下する遊技球は、始動入賞口１２または通常入賞口１３またはアタッカ１４等の所定入賞口のいずれかに入賞するか、あるいはアウト口１４から回収される。なお、パチンコ機における釘、風車などの構造物は公知であるので説明は省略する。また、この遊技領域４ａは、上扉６ａが閉じている場合には、上扉６ａの後面側に取り付けられるガラス枠（不図示）のガラス１５を通して視認することができるが、この状態では遊技領域４ａに形成された構造物には触れることができないようになっている。
【００１２】
図２〜図８に示すように、操作ハンドル９は、合成樹脂の成形品である軸部２０、回動部２１、把手部２２から構成される。軸部２０の後方にはネジ穴２０ａが形成されている（図４参照）。回動部２１は、軸部２０が回動中心となるように軸部２０に回動自在に組み付けられており、この回動部２１を回動させることにより前記遊技球発射装置の発射力は変化する。把手部２２は、工業用接着剤により回動部２１の前方にて軸部２０に固着されており、回動部２１の軸部２２からの抜けを防止している。遊技者はこの把手部２２に手のひらや指の付け根などを当てながら指先で回動部２１を操作する。下扉６ｂにはネジ穴２０ａに対応するようにネジを挿通するための挿通穴（不図示）が形成されており、ネジが下扉６ｂの裏面より前記挿通穴に挿通され、軸部２２のネジ穴２０ａに締め込まれる。これにより、図９、図１０、及び図１２〜図１５に示すように、操作ハンドル９は下扉６ｂの前面に固定される。なお、把手部２２を軸部２０に固着させる方法は、工業用接着剤による固着方法に限ることなく、かしめ結合、溶着などの公知の固着方法により固着されていれば良い。また、軸部２０と把手部２２とを一体に成形し、これに回動部２１を組み付けるようにしても良い。
【００１３】
把手部２２には、把手部２２の後方上部から前方下部に向けて突出し、且つ滑らかに傾斜した手載せ部２２ａが一体に形成されている（図２、図７を参照）。また、図１６に示すように、この手載せ部２２ａは回動部２１を回動操作する手の付け根付近（手首近傍）が違和感なくフィットされるような曲面形状に形成されており、これにより遊技者は手載せ部２２ａに手首などを載せて指先だけで回動部２１の回動操作を行うことが可能となる。
【００１４】
次に上記のように構成されたパチンコ機の作用について説明する。操作ハンドル９の把手部２２には手首が違和感なくフィットされるような形状の手載せ部２２ａが形成されている。遊技者は手載せ部２２ａに手首を載せて指先だけで回動部２１の回動操作を行う。このように手載せ部２２ａに手首を載せることにより操作ハンドル９を操作する手の重さは手載せ部２２ａによって支えられ、手や腕にかかる負担を軽くすることができ、長時間の遊技でも疲れないようにすることができる。しかも、把手部２２に手載せ部２２ａが形成されているため、把手部２２を設置することで手載せ部２２ａの設置も同時に行うことができる。また、把手部２２と手載せ部２２ａとを一体に形成することにより、操作ハンドル８とは別個に手を載せるためだけに使用される部材を設ける必要がなくなり、部品点数の削減を図ることができる。
【００１５】
なお、手載せ部２２ａを有する把手部２２を軸部２０に着脱可能に装着しても良い。例えば、手載せ部２２ａを有する把手部２２の内側に雌ネジを形成し、この雌ネジに対応する雄ネジを軸部２０に形成する。この雄ネジを前記雌ネジに螺合させることで把手部２２は軸部２０に着脱可能に装着される。このように構成することで、操作ハンドル９や操作ハンドル９が装着されたパチンコ機２の輸送の際、把手部２２だけを軸部２０から取り外して持ち運ぶことが可能となり、輸送時に起こる可能性のある外的衝撃による手載せ部２２ａの破損を防ぐことができる。
【００１６】
また、図１４より明らかなように、手載せ部２２ａは供給皿７の前面側より遊技者側（図１４における左側）にやや出っ張った形状となっている。これは、手や腕にかかる負担を軽くするためであるが、このように構成されたパチンコ機２をそのまま梱包する場合には、出っ張り部分を覆うだけの梱包資材が必要となり、梱包サイズが大きくなってしまう。しかしながら、本実施形態の如く、手載せ部２２ａを着脱可能に構成することにより、梱包サイズを小型化することができる。
【００１７】
手載せ部２２ａを着脱可能とするには、例えば、図１７に示すように、把手部２２を軸部２０に組み付けられた把手基部２２ｂと、手載せ部２２ａとから構成し、手載せ部２２ａを把手基部２２ｂに対して着脱可能にすれば良い。
図１８に示すように、プラスチックの成形品からなる手載せ部２２ａの背面中央部には、矩形状の開口３０が形成されている。この開口３０の両側部には上方から見た断面が内側にＬ字形状に屈曲したリブ３１、３２が対向して突設されている。開口３０の上縁から下方に向かい、弾性変形自在な係止爪３３が一体に延ばされている。リブ３１、３２のそれぞれの外側には係止片３４、３５が設けられ、これらの係止片３４、３５は左右対称な形状となっている。係止片３４、３５は下方が開放された溝３４ａ、３５ａを形成しており、これらの溝３４ａ、３５ａには後述するように、把手基部２２ｂの前面に一体に形成されたガイド突起４０、４１に入り込む。
【００１８】
把手基部２２ｂの前面中央には、縦長の矩形状に形成された位置決め部３６が設けられている。この位置決め部３６の前面中央には、手載せ部２２ａの係止爪３３に対応するように開口３６ａが形成されている。この開口３６ａは、把手基部２２ｂの内部に形成された挿通孔３７、軸部２０の内部に形成された挿通孔３８、及び下扉６ｂに形成された開口３９を通って下扉６ｂの裏側へと貫通している。また、位置決め部３６の両側面には、手載せ部２２ａのリブ３１、３２に対応するようにスライド溝３６ｂが形成されている。位置決め部３６の両側には、係止片３４の溝３４ａ、及び係止片３５の溝３５ａに対応するように上方から見た断面がＬ字形状のガイド突起４０、４１が設けられている。
【００１９】
手載せ部２２ａを把手基部２２ｂに取り付ける場合、まず、把手基部２２ｂの上方から手載せ部２２ａのリブ３１、３２を把手基部２２ｂのスライド溝３６ｂにスライドさせながら挿入する。リブ３１、３２をスライド溝３６ｂに挿入していくと、ガイド突起４０は係止片３４の溝３４ａに、ガイド突起４１は係止片３５の溝３５ａに入り込む。また、係止爪３３は位置決め部３６の前面に摺接して撓みながら移動し、やがて係止爪３３は開口３６ａに嵌合して手載せ部２２ａの上方への移動を規制する。そして係止片３４、３５の上壁である屈曲部３４ｂ、３５ｂのそれぞれがガイド突起４０、４１の上端面４０ａ、４１ａに当接するので手載せ部２２ａの下方への移動も規制される。このようにして手載せ部２２ａが把手基部２２ｂに取り付けられる。
【００２０】
手載せ部２２ａを把手基部２２ｂから取り外す場合、図１９（ａ）に示すように、棒４２を下扉６ｂの開口３９から軸部２０の挿通孔３８、把手基部２２ｂの挿通孔３７、及び把手基部２２ｂの開口３６ａに通して係止爪３３に突き当てる。そして、図１９（ｂ）に示すように、係止爪３３を棒４２で前方に押し出し、係止爪３３と開口３６ａとの嵌合を解除する。係止爪３３と開口３６ａとの嵌合が解かれた状態を保持し、図１９（ｃ）に示すように、手載せ部２２ａを上方に（図中矢印を参照）スライドさせる。このようにして手載せ部２２ａが把手基部２２ｂから取り外される。
なお、本実施形態では、下扉６ｂの開口３９から棒４２を挿入して係止爪３３と開口３６ａとの嵌合を解除したが、手載せ部２２ａ、あるいは把手基部２２ｂの下部に開口を形成し、この開口から棒を挿入して係止爪３３と開口３６ａとの嵌合を解除しても良い。
【００２１】
手載せ部２２ａを把手部２２に着脱させる方法は、上述したようなネジ構造による着脱方法に限ることなく、可撓性を有する凸凹を形成して着脱させても良く、手載せ部２２ａに手を載せた際、手載せ部２２ａに加わる荷重に耐えることができるように組み付けられていれば、着脱させる方法はどのようなものであっても良い。
【００２２】
また、上記実施形態では、手首がフィットするように手載せ部２２ａが形成されているが、手載せ部２２ａの形状を腕の一部が支えられるように形成しても良く、その形状は適宜に変更することが可能である。
【００２３】
次に本発明の第２の実施形態について説明する。なお、第１の実施形態と同一の構成及び作用を有する部材については、同一の符号を付してその説明を省略する。図２０に示すように、操作ハンドル９は、軸部２０と回動部２１と把手部２２とから構成される。把手部２２は略半球状に形成されている。軸部２０の下部からは前方に突出するように手載せ部２０ｂが軸部２０と一体に形成されている。さらに、手載せ部２０ｂは、遊技者の手首が違和感なくフィットするような滑らかな曲線形状に形成されている。このような構成することで遊技者は手載せ部２０ｂに手首を載せ、把手部２２に手のひらを当て、指先だけで回動部２１の回動操作を行うことが可能になる。このように、軸部２０に手載せ部２０ｂを形成することで、第１の実施形態と同様の効果を得ることができる。また、手載せ部２０ｂをさらに前方に突出させることにより腕の一部を支えることも可能となる。このように、手載せ部２０ｂの形状は目的に応じて適宜に変更することが可能である。
【００２４】
上記実施形態では、手載せ部２０ｂと軸部２０は一体に形成されているが、第１の実施形態と同様に、手載せ部２０ｂを軸部２０に対して着脱可能に装着しても良く、これにより輸送時における手載せ部２０の破損を防止することが可能となる。また、手載せ部２０ｂを着脱可能に構成することにより、パチンコ機２の梱包サイズを小型化することができるようになる。
【００２５】
なお、図２１に示すように、操作ハンドル９下方の下扉６ｂの前面に手載せ部２３を設けても上記実施形態と同様の効果を得ることができる。
【００２６】
また、上記した実施形態では手載せ部２２ａのみを着脱可能とした構成を説明したが、操作ハンドル９全体を着脱可能な構成とすることも輸送時や梱包時の破損防止の観点では有効である。
【図面の簡単な説明】
【００２７】
【図１】本発明の第１の実施形態であるパチンコ機の外観を示す斜視図である。
【図２】操作ハンドルの外観を示す斜視図である。
【図３】操作ハンドルの正面図である。
【図４】操作ハンドルの背面図である。
【図５】操作ハンドルの平面図である。
【図６】操作ハンドルの底面図である。
【図７】操作ハンドルの右側面図である。
【図８】操作ハンドルの左側面図である。
【図９】遊技領域が形成されていない状態のパチンコ機の外観を示す斜視図である。
【図１０】図９に示したパチンコ機の正面図である。
【図１１】図９に示したパチンコ機の背面図である。
【図１２】図９に示したパチンコ機の平面図である。
【図１３】図９に示したパチンコ機の底面図である。
【図１４】図９に示したパチンコ機の右側面図である。
【図１５】図９に示したパチンコ機の左側面図である。
【図１６】操作ハンドルの使用時における操作ハンドル及びその周辺の様子を示す右側面図である。
【図１７】手載せ部を着脱可能にした操作ハンドルの外観を示す斜視図である。
【図１８】図１７に示す操作ハンドルの分解斜視図である。
【図１９】手載せ部の取り外し方法を説明するための操作ハンドルの断面図である。
【図２０】本発明の第２の実施形態であるパチンコ機における操作ハンドル及びその周辺の様子を示す右側面図である。
【図２１】下扉の前面に手載せ部材を設けた場合の操作ハンドル及びその周辺の様子を示す右側面図である。
【符号の説明】
【００２８】
２  パチンコ機
４  遊技盤
８  遊技球発射装置
９  操作ハンドル
２０  軸部
２０ｂ、２２ａ、２３  手載せ部
２１  回動部
２２  把手部
【図１】
2005058500.tif 000003
【図２】
2005058500.tif 000004
【図３】
2005058500.tif 000005
【図４】
2005058500.tif 000006
【図５】
2005058500.tif 000007
【図６】
2005058500.tif 000008
【図７】
2005058500.tif 000009
【図８】
2005058500.tif 000010
【図９】
2005058500.tif 000011
【図１０】
2005058500.tif 000012
【図１１】
2005058500.tif 000013
【図１２】
2005058500.tif 000014
【図１３】
2005058500.tif 000015
【図１４】
2005058500.tif 000016
【図１５】
2005058500.tif 000017
【図１６】
2005058500.tif 000018
【図１７】
2005058500.tif 000019
【図１８】
2005058500.tif 000020
【図１９】
2005058500.tif 000021
【図２０】
2005058500.tif 000022
【図２１】
2005058500.tif 000023